(57)【要約】      （修正有）【課題】自転車等に乗った際に風でスカートが捲り上がるのを防ぎ、操作が簡単な捲り止め具を提供する。【解決手段】捲り止め具は、両端に一対の留め具１が設けられる弾性体のベルト２からなる脚バンド３と、一端にスカートを掴む掴み具６が設けられる第二ベルト７からなるスカート捲り止め５とを有する。スカート捲り止めの第二ベルトを脚バンドのベルトに対して交差して固定する。【選択図】図１
0003178555.tif 000002
【実用新案登録請求の範囲】
【請求項１】
スカートが捲り上がるのを防ぐスカートの捲り止め具であり、この捲り止め具が、両端に一対の留め具が設けられる弾性体のベルトからなる脚バンドと、一端にスカートを掴む掴み具が設けられる第二ベルトからなるスカート捲り止めとを有するものであり、スカート捲り止めの第二ベルトを脚バンドのベルトに対して交差して取り付けたことを特徴とするスカートの捲り止め具。
【請求項２】
ベルト及び第二ベルトのうち、少なくともベルトには長さ調整具が設けられる請求項１のスカートの捲り止め具。
【請求項３】
スカート捲り止めが複数設けられる請求項１又は２のスカートの捲り止め具。
【請求項４】
一対の留め具、長さ調整具及び掴み具は樹脂で構成される請求項１〜４いずれかに記載のスカートの捲り止め具。
【考案の詳細な説明】
【技術分野】
【０００１】
本考案は、簡単な操作で自転車乗車時等におけるスカートの捲り上がりを防止できるスカートの捲り止め具（以下、単に捲り止め具という）に関するものである。
【背景技術】
【０００２】
近年、若い女性や女子高生が短いスカートを穿いて自転車に乗っている。このような場合、風等によってスカートが捲り上がる（跳ね上がったり、舞い上がったりすることも含む）ことがある。これを防ぐためには手でスカートを押えたりする必要があるが、こうすると、片手運転になって安全性を欠く。そこで、一旦止まって自転車から降りてスカートを直したりすることもあるが、無駄な動きを必要とする。風によるスカートの捲り上がりは、丈が短くてプリーツスカートやフレアースカートといった身幅の広いスカートほど起こり易いが、丈の長いものであっても、素材が軽いものであれば、風や静電気による捲り上がりが生ずる。
【０００３】
この種のスカートの捲り上げを防ぐため、従来から種々の工夫がなされている。下記特許文献１に示すものは、弾性部材からなる脚に巻き付けるバンド体に中央が屈曲して内方に付勢されている二片からなる二つの挟持部を設けたものであるが、バンド体には留め具がないから、必ず足首から通さなければならず、面倒であるし、径を細かく調整できなかったりする。また、スカートを挟持部に挟み込まなければならない煩雑な操作を必要とする。
【０００４】
特許文献２（意匠）に示すものは、一つのクリップを取り付けたバンドを面ファスナーでリング状にし、クリップでスカートを挟むものであるが、クリップとバンドとは近すぎるし、角度も決まっており、スカートの挟みの状態が常に最適にはならない。また、リングに対してクリップが大きすぎて違和感もある。特許文献３に示すものは、スカートの裾を縛るようなものと思われるが、その詳細はよくわからない。
【先行技術文献】
【特許文献】
【０００５】
【特許文献１】特開平５−１４０８０６号公報
【特許文献２】意匠登録第１１４８４７６号公報
【特許文献３】実用新案登録第３００１１６８号公報
【考案の概要】
【考案が解決しようとする課題】
【０００６】
本考案が解決しようとする課題は、操作が簡単で効果が確実であり、しかも、外部から着用状態を見えなくすることもできる捲り止め具を提供することである。
【課題を解決するための手段】
【０００７】
以上の課題の下、本考案は、請求項１に記載した、スカートが捲り上がるのを防ぐスカートの捲り止め具であり、この捲り止め具が、両端に一対の留め具が設けられる弾性体のベルトからなる脚バンドと、一端にスカートを掴む掴み具が設けられる第二ベルトからなるスカート捲り止めとを有するものであり、スカート捲り止めの第二ベルトを脚バンドのベルトに対して交差して取り付けたことを基本構成とするものである。
【０００８】
また、本考案は、以上の捲り止め具において、請求項２に記載した、ベルト及び第二ベルトのうち、少なくともベルトには長さ調整具が設けられる構成、請求項３に記載した、スカート捲り止めが複数設けられる構成、請求項４に記載した、一対の留め具、長さ調整具及び掴み具は樹脂で構成される構成を提供する。
【考案の効果】
【０００９】
請求項１の考案によると、脚に脚バンドのベルトを巻き付けて留め具で止め（留め具で止めてリング状にしたものを足首から挿入してもよい）、スカートをスカート捲り止めの掴み具で掴めば、掴んだ個所とベルトとは長さが変わらない。つまり、風等によってスカートが捲り上がろうとしても、所定以上は捲り上がらない。また、脚へのベルトの巻き付け、掴み具によるスカートの掴みも容易、迅速にできるから、操作が簡単である（外すときも同様）。なお、ベルトの装着位置等を考慮することで、着用していることを外部から見えないようにすることもでき、その際に、脚バンドにしても、スカート捲り止めにしてもコンパクトであって外部からは装着していることがわからない。
【００１０】
請求項２の手段によれば、少なくとも脚バンドのベルトの長さを調整することで、リングの径を調整することができるし、予めリング状にしてこれを足首から通すようなこともより容易である。また、第二ベルトにこの調整具を設けると、ベルトに対して掴み具の位置を調整でき、スカートの丈や膨らみに応じて最適なものにできる。請求項３の手段によれば、スカートの複数の個所を掴むことができ、より強固に捲り上がりを防止できる。請求項４の手段によれば、軽くて操作性のよいものにできる。
【図面の簡単な説明】
【００１１】
【図１】捲り止め具の斜視図である。
【図２】捲り止め具を展開した状態の平面図である。
【図３】スカート掴みを構成する掴み具の平面図である。
【図４】同じく掴み具の作用を示す側面図である。
【図５】捲り止め具の使用状態を示す説明図である。
【考案を実施するための形態】
【００１２】
以下、本考案の実施の形態を図面を参照して説明するが、図１は捲り止め具の斜視図、図２は展開した状態の平面図である。この捲り止め具は、両端に一対の留め具１が設けられるベルト２からなる脚バンド３を主体とするものである。留め具１は雄体１ａ、雌体１ｂの差込みロック式のものがワンタッチ操作できて好ましい。このような留め具１は例えば、ＹＫＫ株式会社より所定の商品名で市販されているから、それを使用すればよい。
【００１３】
ベルト２は適当な幅（１〜３ｃｍ程度）と強度を有するシリコンゴム、ビニール、ゴム等からなる弾性体が適する。また、肌に当たるものであるため、カブレを防ぐために布等で被覆することも考えられる。ベルト２を弾性体としたのは、ほどよく脚を締め付けること、予めリング状にして脚に挿入するようなこともできるからである。
【００１４】
なお、それでも、長さ（リング径）を調整しなければならないことがあるから、ベルト２には長さ調整具４を設けておくのが適する。この長さ調整具４はベルト２の長さを調整できるものであれば、何でもよいが、操作性から三本の平行なバーに往きの部分と折り返しの部分を二枚重ねにしてジクザクに通す摩擦抵抗を利用するものがよく知られている。これら、留め具１や長さ調整具４は樹脂性のものが軽くて好ましい。
【００１５】
本考案の捲り止め具は、この他にスカート捲り止め５を有する。スカート捲り止め５は先端に掴み具６を有する第二ベルト７をベルト２に交差させて固定したものである。掴み具６に適するものとしては次のようなものがある。図３はこの掴み具６の平面図、図４は作動状態を示す側面図であるが、掴み部分である上片６ａと下片６ｂとが開閉可能に組み合わされており、上片６ａにはレバー６ｃが後方に突出して連係している。そして、レバー６ｃを下方に回動させると、上片６ａは上方に回動して下片６ｂとの間で口を開け、ものを銜えることができる。
【００１６】
この状態でレバー６ｃを水平方向に回動すると、上片６ａは降りて来て下片６ｂとで口を閉ざす。この状態は強固であり、レバー６ｃを動かさない限り、口を開けることはない（銜えたものを離すことはない）。このような構造のものとしては、コーリン株式会社からＪ−ｓｅｎなる商品名で和装品として市販されているから、それを使用すればよい。
【００１７】
第二ベルト７はベルト２と同じものでよいが、弾性はあまり必要としないから、普通は弾性材でないものを使用する。第二ベルト７の反掴み具６側の端はベルト２に溶着や接着剤で固定する。このとき、ベルト２と第二ベルト７は交差していることが条件であり、交差角は９０°が好ましい。掴み具６はベルト２に近いほど捲り防止効果が高いことは上記したが、通常は１〜３ｃｍ程度に設定される。しかし、スカートの丈や膨らみによってはこの長さを調整できるのが好ましいこともあるから、第二ベルト７の中に長さ調整具（図示省略）を設けることもある。
【００１８】
次に、以上の捲り止め具の使用方法について説明する。図５はこれを示す説明図であるが、風が強いときに自転車に乗るような場合、脚バンド３となるベルト２を脚に巻き（留め具１で予めリングにしておき、これを足首から通してもよいのは上記したとおり）、スカート捲り止め５の掴み具６でスカート８を掴む。この掴み操作は掴み具６のレバー６ｃを操作するだけでよいのは上記したとおりであり、この掴む位置はもっともスカート８が捲れ難く、かつ掴み易い位置にするのはもちろんである。こうすると、少々風が強くても或いは勢いよくペダルを踏んでもスカート８が捲れ上がる心配は少ない。
【００１９】
この意味から、この捲り止め具は片方の脚だけでなく（目的が達せられればこれでもよいが）、両方の脚に着用するのが適する。なお、自転車を降りるときには外すが、これも上記と逆の操作をすればよく、簡単である。ところで、ベルト２を巻く位置はどこでもよい。通常はベルト２を脚に装着していることを人から見られるのを気にすることから、ベルト２はスカート８に隠れた位置に巻く。
【００２０】
また、スカート捲り止め５の第二ベルト７はベルト２の上方に延ばしても、下方に延ばしてもよいが（図６のものは下方に延ばしている）、いずれにしても、掴み具６はベルト２に近いほどスカート８の捲り上りは少ない。この点で、スカート捲り止め４は１〜３ｃｍ程度が適する。なお、脚バンド３を巻く位置は低いほど、スカート捲り止４の掴み具６で掴む個所は裾に近いほど捲り上りは少ないから、ベルト２の装着が外部から見えても気にならないのであれば、ベルト２をスカート８の裾より下に装着してもよい。
【００２１】
ところで、このような捲り止め具において、操作する必要がある部材は、留め具１と掴み具６であり、場合によって長さ調整具４である。そこで、これらを操作しやすい個所に集中的に配置しておくのが適する。一般に、操作がし易いのは脚の前面を中心に両側面の範囲である。そこで、留め具１を前面に、掴み具６と長さ調整具４を側面までの範囲に配置しておくのが適する。具体的には、スカート捲り止め５と長さ調整具４は留め具１を中心にそれぞれ１〜５ｃｍの範囲に振り分けに配置しておくのが適する。
【００２２】
以上は丈の短いスカートを想定したものであるが、丈の長いスカートでも捲り上がることもあるから、そのような場合にも使用できる。また、身幅の広いスカート等が適するが、身体にフィットした身幅の狭いスカートでもペダルを踏むとずり上がって来るから、これにも適用できる。この他、自転車に限らず、オートバイでも同様であるし、風が強いときの歩行時に着用してもよい。
【符号の説明】
【００２３】
１    留め具
１ａ    〃  の雄体
１ｂ    〃  の雌体
２    ベルト
３    脚バンド
４    長さ調整具
５    スカート止め
６    掴み具
６ａ    〃  の上片
６ｂ    〃  の下片
６ｃ    〃  のレバー
７    第二ベルト
８    スカート
【図１】
0003178555.tif 000003
【図２】
0003178555.tif 000004
【図３】
0003178555.tif 000005
【図４】
0003178555.tif 000006
【図５】
0003178555.tif 000007